(57)【要約】【課題】キー情報を埋め込むことをしないで情報を検索、参照できる特定者向け情報公開サービスシステムを提供する。【解決手段】クライアント装置とサーバ装置がネットワークを介して接続された特定者向け情報公開サービスシステムにおいて、サーバ装置は、情報公開を希望するユーザ情報テータベースに格納されたクライアントのクライアント装置から情報公開を希望するクライアント及びどんな情報を希望するかを示すメッセージを受け取ると、公開依頼管理情報データベースに格納する公開依頼処理部と、情報の公開を希望されている情報所有者のクライアント装置に情報公開を希望するクライアントがいることを通知し、情報公開を希望されるクライアント装置から情報公開の承諾を受けると、公開管理情報データベースに情報公開の被承諾者、情報公開の承諾者及び公開対象の情報を特定する情報を格納し、被承諾者のクライアント装置に情報公開が承諾されたことを通知する情報公開処理部とを具備して構成する。【選択図】　　　　図１
2004086787.tif 000002
【特許請求の範囲】
【請求項１】
クライアント装置とサーバ装置がネットワークを介して接続された特定者向け情報公開サービスシステムにおいて、
前記サーバ装置は、
情報公開を行う対象となるクライアントに関する情報を格納するユーザ情報データベースと、
情報及び当該情報の所有者を格納する公開情報格納データベースと、
情報公開を希望するクライアント、情報公開を希望されるクライアント及びどんな情報を希望するかを示すメッセージを格納する公開依頼管理情報データベースと、
情報公開の被承諾者、情報公開の承諾者及び公開対象の情報を特定する情報を格納する公開管理情報データベースと、
情報公開を希望する前記ユーザ情報テータベースに格納されたクライアントのクライアント装置から情報公開を希望するクライアント及びどんな情報を希望するかを示すメッセージを受け取ると、前記公開依頼管理情報データベースに格納する公開依頼処理部と、
前記公開依頼管理情報データベースに格納されている情報の公開を希望されている前記公開情報格納データベースに格納された情報所有者のクライアント装置に情報公開を希望するクライアントがいることを通知し、情報公開を希望されるクライアント装置から情報公開の承諾を受けると、前記公開管理情報データベースに情報公開の被承諾者、情報公開の承諾者及び公開対象の情報を特定する情報を格納し、被承諾者のクライアント装置に情報公開が承諾されたことを通知する情報公開処理部と、
を具備したことを特徴とする特定者向け情報公開サービスシステム。
【請求項２】
前記サーバ装置は、前記情報を所有するクライアントのクライアント装置よりに対して認証要求を行い、前記ユーザ情報データベースに格納されたクライアントのみが情報公開されるよう制御するユーザ認証処理部を更に具備したことを特徴とする請求項１記載の特定者向け情報公開サービスシステム。
【請求項３】
前記サーバ装置は、情報を所有するクライアントのクライアント装置より情報を受け取ると、前記公開情報格納データベースに格納する情報登録処理部を具備したことを特徴とする請求項１記載の特定者向け情報公開サービスシステム。
【請求項４】
前記情報公開処理部は、公開を承諾している情報所有者のクライアント装置から情報公開の承諾の取り消しを受けると、前記公開管理情報データベースから該当する情報を削除することを特徴とする請求項１記載の特定者向け情報公開サービスシステム。
【請求項５】
前記情報公開処理部は、前記クライアントがどんな情報の公開を希望するかを示すメッセージをクライアント装置から受け取ると、前記公開情報格納データベースを検索して、前記メッセージに該当する情報を所有するクライアントについて前記クライアント装置に通知することを特徴とする請求項１記載の特定者向け情報公開サービスシステム。
【発明の詳細な説明】
【０００１】
【発明の属する技術分野】
本発明は、特定者向けの情報公開サービスシステムに関するものである。
【０００２】
【従来の技術】
情報を参照する人が特定の情報を参照する場合、ＹＡＨＯＯに代表されるような検索システムを利用することが一般的である。しかし、この場合には、インターネット上に全ての情報を公開せざるを得なく、大学の研究情報など正規の手順で公開する前に情報をメンバー間でやり取りを行いたい場合にはグループ内に閉じて検索システムを構築し、検索を前提に検索のためのキー情報を事前に登録しておく必要がある。
【０００３】
また、特定の分野において自分が参照したい情報のみを表示する技術として、特開２００２−９２４３６号公報がある。この公報によれば、自分が参照したい情報を表示するための検索条件をサーバに登録しておくことで必要な情報のみを表示することはできるが、あくまでも情報提示者のタイミングで情報が登録され、情報参照者は登録タイミングとは全く非同期に表示するため自分が必要な情報を必要なタイミングで参照することはできない。
【０００４】
【発明が解決しようとする課題】
しかしながら、従来の情報公開技術では以下問題点があった。上述したように、特定の範囲内において個人情報として登録している情報を特定の人に情報を公開する場合、従来技術では情報を参照したいタイミングに参照することができないという問題点があった。また、情報の公開を目的としない情報である場合には、最初から検索のためのキー情報を埋め込むことをしないため、情報の検索、参照が困難であるという問題点があった。
【０００５】
本発明は、上記を鑑みてなされたものであり、検索のためのキー情報を埋め込むことなく、情報提示者と情報参照者が同期を取って、特定者向けに情報公開を行う情報公開サービスシステムを提供することを目的とする。
【０００６】
【課題を解決するための手段】
図１は本発明の原理図である。図１に示すように、特定者向け情報公開サービスシステムは、クライアント装置２＃ｉ（ｉ＝１，２，…）とサーバ装置４がネットワーク６を介して接続されている。サーバ装置４は、ユーザ情報データベース８、公開情報格納データベース１０、公開依頼管理情報データベース１２、公開管理情報データベース１４、公開依頼処理部１６及び情報公開処理部１８を具備している。
【０００７】
ユーザ情報データベース８には、情報公開を行う対象となるクライアントに関する情報が格納されている。公開情報格納データベース１０には、情報及び当該情報の所有者が格納されている。公開依頼処理部１６は、情報公開を希望するクライアント装置２＃ｉから情報公開を希望するクライアント及びどんな情報を希望するかを示すメッセージを受け取ると、情報公開を希望するクライアント、情報公開を希望されるクライアント及びどんな情報を希望するかを示すメッセージを公開依頼管理情報データベース１２に格納する。
【０００８】
情報公開処理部１８は、公開依頼管理情報データベース１２に格納されている情報の公開を希望されているクライアント装置２＃ｊに情報公開を希望するクライアントがいることを通知し、情報公開を希望されるクライアント装置２＃ｊから情報公開の承諾を受けると、公開管理情報データベース１４に情報公開の被承諾者、情報公開の承諾者及び公開対象の情報を特定する情報を格納し、被承諾者のクライアント装置２＃ｉに情報公開が承諾されたことを通知する。
【０００９】
【発明の実施の形態】
図２は本発明の実施形態による特定者向け情報公開サービスシステムの構成図である。本実施形態では、公開情報の一例として授業ノートを例に説明するが、授業ノートに限らず特定グループ内で情報公開をする場合にはどんな情報であっても良い。図２に示すように、特定者向け情報公開サービスシステムは、複数のクライアント装置２０＃ｉ（ｉ＝１，２，…）及びサーバ装置２２から構成される。クライアント装置２０＃ｉとサーバ装置２２はネットワーク２４を通して接続されている。ネットワーク２４は、ＬＡＮ、ＷＡＮ或いはインターネット等である。
【００１０】
クライアント装置２０＃ｉは、情報提示者や被提示者が使用するパソコン等の端末であり、入力装置３０＃ｉ、出力装置３２＃ｉ、入出力制御インタフェース部３４＃ｉ、ＲＡＭ３６＃ｉ、制御部３８＃ｉ、ＲＯＭ４０＃ｉ、ハードディスク（ＨＤ）４２＃ｉ及び通信制御インタフェース部４４＃ｉを有する。入力装置３０＃ｉは、マウス、キーボード等、文字等を入力する装置である。出力装置３２＃ｉは、ディスプレイ等、文字等を出力する装置である。
【００１１】
入出力制御インタフェース部３４＃ｉは、制御部３８＃ｉと入力装置３０＃ｉ及び出力装置３２＃ｉ間のインタフェースを司る。ＲＡＭ３６＃ｉは、実行プログラムやデータを記憶するランダムアクセスメモリである。制御部３８＃ｉは、情報公開サービスの提供を受けるための制御を行うものであり、Ｗｅｂブラウザ５０＃ｉを含む。Ｗｅｂブラウザ部５０＃ｉはＴＣＰ／ＩＰに従ってサーバ装置２２との間でＨＴＭＬで記述されたページの送受信及び出力装置３２＃ｉへの表示を行う。ＲＯＭ４０＃ｉは、プログラムを記憶するリードオンリーメモリである。ＨＤ４２＃ｉは、プログラム等を記憶するハードディスクである。通信制御インタフェース部４４＃ｉは、ネットワーク２４を通してサーバ装置２２との間で通信を行う。通信プロトコルは、サーバ装置２２と通信が可能であれば特に問わないが、ＴＣＰ／ＩＰが一般的である。
【００１２】
サーバ装置２２は、制御部７０、ユーザ情報ＤＢ７２、ノート情報ＤＢ７４、ノート管理情報ＤＢ７６、ノート借用依頼管理情報ＤＢ７８及び通信制御インタフェース部８０を有する。制御部７０は、特定者向けに情報公開を行うための制御を行うものであり、ユーザ認証処理部１００、ノート登録処理部１０２、ページ登録処理部１０４、ノート借用依頼処理部１０６及びノート貸出し処理部１０８を有する。
【００１３】
図３は図２中の制御部７０の詳細ブロック図である。ユーザ認証処理部１００は、次の機能を有する。▲１▼クライアント装置２０＃ｉに対して、ログインＩＤの入力を要求する。▲２▼クライアント装置２０＃ｉよりログインＩＤを受信して、ユーザ管理情報ＤＢ７２を参照して、当該ログインＩＤのユーザがユーザ管理情報ＤＢ７２に登録されているか否かをチェックする。▲３▼ユーザ管理情報ＤＢ７２に登録されていない場合は、クライアント装置２０＃ｉにその旨を通知し、ユーザ管理情報ＤＢ７２に登録されている場合は、処理を続行する。
【００１４】
ノート登録処理部１０２は、次の機能を有する。▲１▼登録画面に係わるページをクライアント装置２０＃ｉに送信する。▲２▼登録画面中に入力されたノートをノート情報格納ＤＢ７４に格納して、ノート一覧画面をクライアント装置２０＃ｉに送信する。
【００１５】
ページ登録処理部１０４は、次の機能を有する。▲１▼提示者よりページ登録要求を受け取ると、ページ登録画面をクライアント装置２０＃ｉに送信する。▲２▼ページ登録画面に提示者により入力され、クライアント装置２０＃ｉより送信されたノート及びノート内の各ページを受け取ると、ノート情報格納ＤＢ７４に格納する。ノート借用依頼処理部１０６は、次の機能を有する。▲１▼クライアント装置２０＃ｉよりノート借用依頼を受け取ると、ノート借用依頼画面を送信する。▲２▼クライアント装置２０＃ｉよりノート借用依頼画面中に入力された、ノートを借用したい相手のユーザ及びノートを示すノート借用依頼情報を受信すると、ノート借用依頼管理情報ＤＢ７８に格納する。
【００１６】
ノート貸出し処理部１０８は、ノート借用承諾部１２０、ノート貸出し部１２２、ノート貸出し停止部１２４及びページ情報検索部１２６を有する。ノート借用承諾部１２０は、次の機能を有する。▲１▼ノート借用依頼管理情報ＤＢ７８に格納されたノートの借用依頼されたクライアント装置２０＃ｉにノート借用依頼があった旨のメッセージを含むノート一覧画面を送信する。▲２▼クライアント装置２０＃ｉよりノート貸出し承諾画面要求を受け取ると、ノート貸出し承諾画面をクライアント装置２０＃ｉに送信する。▲３▼クライアント装置２０＃ｉよりノート貸出し承諾画面中に入力されたノート貸出し承諾を受信すると、ノート管理情報ＤＢ７６に格納する。
【００１７】
ノート貸出し部１２２は、次の機能を有する。▲１▼ノートの貸出しが承諾された被提示者のクライアント装置２０＃ｉに他の人から借用しているノートの一覧を含むノート一覧画面を送信する。▲２▼クライアント装置２０＃ｉにより他の人から借用しているノートが指定されると、ノート借用しているノートの内容をクライアント装置２０＃ｉに送信する。
【００１８】
ノート貸出し停止部１２４は、次の機能を有する。▲１▼クライアント装置２０＃ｉよりノートを消すが指示されると、当該ノート貸出しに係わる情報をノート管理情報ＤＢ７６から削除する。▲２▼ノート貸出しが取り消されたクライアント装置２０＃ｉには当該取り消されたノートを送信しない。
【００１９】
ページ情報検索部１２６は次の機能を有する。▲１▼クライアント装置２０＃ｉより借用したいノートの検索キーワードを受けると、検索キーワードに一致する内容を含むノートをノート管理情報ＤＢ７４より検索する。▲２▼該当するノートのノート名、ノートの提示者を示すノート検索結果をクライアント装置２０＃ｉに送信する。
【００２０】
図４は、図２中のユーザ情報ＤＢ７２の構成図である。図４に示すように、ユーザ情報ＤＢ７２は、ユーザＩＤ、パスワード名及びグループ名の項目から構成される。ユーザＩＤはユーザを識別する識別子である。パスワードはユーザのパスワードである。名前はユーザ名である。グループ名はユーザが属するグループの名前である。グループ単位でノートの貸し出しを承諾するためである。
【００２１】
図５は図２中のノート情報ＤＢ７４の構成図である。図５に示すように、ノート情報ＤＢ７４は、ユーザＩＤ、ノート名、ページ名、情報及び添付ファイルの項目から構成される。ユーザＩＤはノートを提示者の識別子である。ノート名は貸出対象とするノート名である。情報はノートの内容を示す情報である。添付ファイルは、ノートにファイルが添付されている場合のそのファイル名である。
【００２２】
図６は図２中のノート管理情報ＤＢ７６の構成図である。図６に示すように、ノート管理情報ＤＢ７６は、ユーザＩＤ、ノート名、借用者ＩＤ及び借用期間の項目から構成される。ユーザＩＤは貸出すノートの提示者の識別子である。ノート名は貸出中／未貸出のノート名である。借用者ＩＤはノートの被提示者の識別子であり、ＮＵＬＬは未貸出しノートである。借用期間はノート借用者が借用できる期間である。
【００２３】
図７は図２中のノート借用依頼管理情報ＤＢ７８の構成図である。図７に示すように、ノート借用依頼管理情報ＤＢ７８は、ユーザＩＤ、受信日、送信者ＩＤ、タイトル及び本文の項目から構成される。ユーザＩＤは、ノートの借用を希望する場合は、借用したい相手のユーザＩＤ、ノートの借用を承諾する場合は、承諾する相手のユーザＩＤである。受信日はノートの借用が申し込まれた日又は借用を承諾した日である。送信者ＩＤはノートの借用を希望する者のユーザＩＤ又はノートの借用を承諾する者のユーザＩＤである。タイトルは、ノートの借用又は承諾に係わるメッセージのタイトルである。本文は、ノートの借用又は承諾に係わるメッセージ本文である。
【００２４】
図２中の通信制御インタフェース部８０は、ネットワーク２４を通して、クライアント装置２０＃ｉとの間の通信を制御する。Ｗｅｂサーバ１１０はクライアント装置２０＃ｉとの間でＨＴＴＰに従ってＨＴＭＬで記述されたページの送受信を行う。
【００２５】
（ａ）　ユーザ情報ＤＢ７２の作成
情報公開を行いたいユーザについて、ユーザＩＤ、パスワード、名前及びグループ名をユーザ情報ＤＢ７２に登録する。
【００２６】
（ｂ）　ログイン時の動作
図８はログイン時の動作を示すフローチャートである。図８に示すように、ステップＳ２において、サーバ装置２２はクライアント装置２０＃ｉにログイン画面のＷｅｂデータを送信する。ステップＳ２０において、クライアント装置２０＃ｉはログイン画面を表示する。ログイン画面には、ユーザＩＤ，パスワードを入力する項目があり、ユーザはこれらの項目に入力する。クライアント装置２０＃ｉは、ユーザＩＤ、パスワード情報をサーバ装置２２に送信する。
【００２７】
ステップＳ４において、パスワードがノート情報ＤＢ７２に格納されたユーザＩＤに該当するパスワードに一致するか否かを判定する。一致する場合は、ステップＳ６に進む。一致しない場合は、ステップＳ１２に進む。ステップＳ６において、ノート情報格納ＤＢ７４からユーザＩＤに対応するノート名を検索する。ステップＳ８において、ノート管理情報ＤＢ７６を参照し、該ユーザＩＤに対応するノート貸出しが設定されているか判断し、貸出しとなっている場合は該当ノートも検索する。
【００２８】
ステップＳ１０において、ユーザＩＤに対応するノート借用依頼管理情報ＤＢ７８を参照して借用依頼があるか検索する。以下、ステップＳ６〜ステップＳ１０までの検索をノート一覧データ検索と呼ぶ。ステップＳ１２におて、ユーザＩＤかパスワードが不一致であることをメッセージで通知する。ステップＳ１４において、初期画面（ノート一覧）のＷｅｂデータを編集して、クライアント装置２０＃ｉに送信する。
【００２９】
図９はノート一覧画面を示す図である。図９に示すように、ノート一覧画面には、「ノートいちらん」、「ノート登録」、「ノートを借りる」、「ノートをかす」、「かしているノート」、「ノートを借りたい人」、「終わる」の各項目、「ノートいちらん」には、「自分が所有しているノートの一覧」、各ノートについて「ページ登録」及び「ノートを消す」、「他の人から借用しているノート及び借用期間」及び「ノートの借用依頼があることを表示する」項目から構成される。ステップＳ２４において、クライアント装置２０＃ｉは図９に示すノート一覧画面を表示する。
【００３０】
（ｃ）　ノート登録・ページ登録
図１０はノート登録・ページ登録のシーケンスチャートである。図１１は提示者ノート登録時の動作を示すフローチャートである。図１２は提示者ページ登録時の動作を示すフローチャートである。図１０中の（２）に示すように、上述したログイン時の認証が行われる。図１１中のステップＳ７０において、認証がＯＫになると、ノート一覧データの検索処理を行う。ステップＳ７２において、ノート一覧画面のＷｅｂデータをクライアント装置２０＃ｉに送信する。提示者は図９に示したノート登録をクリックする。ステップＳ５２において、クライアント装置２０＃ｉは、ノート新規登録選択をサーバ２２に送信する。ステップＳ７４において、サーバ２２は、（４）に示すようにノート登録画面のＷｅｂデータをクライアント装置２０＃ｉに送信する。ステップＳ５４において、クライアント装置２０＃ｉはノート新規登録画面を表示する。
【００３１】
図１３はノート登録画面を示す図である。図１３に示すように、ノート登録画面は、「ノート名」、「ノート色」、「登録」、「やめる」の項目から構成される。「ノート名」は登録するノートの名前が入力される項目である。「ノート色」はノートを表示する色を指定するものである。「登録」はノートを登録するための項目である。「やめる」とはノートの登録を止めるための項目である。
【００３２】
提示者は「ノート名」及び「ノート色」を入力してから「登録」をクリックする。ステップＳ５６において、クライアント装置２０＃ｉはノート名及び色を指定して登録依頼を送信する。ステップＳ７６において、サーバ装置２２はノート管理情報Ｄ７６に登録する。ステップＳ７８，図１２中のステップＳ１１０において、サーバ装置２２はノート一覧データを検索する。ステップＳ８０，図１２中のステップＳ１１２において、（８）に示すように、サーバ装置２２はクライアント２０＃ｉにノート一覧画面のＷｅｂデータ送信する。ステップＳ５８，図１２中まステップＳ９２において、クライアント装置２０＃ｉは、ノート一覧画面を表示する。ここでは、ノートが登録されているので、「ノートいちらん」中に登録したノート名が表示される。提示者は「ノートいちらん」中に表示されたノートの「ページ登録」をクリックする。
【００３３】
図１２中のステップＳ９２において、クライアント装置２０＃ｉは、選択された登録するノート名をサーバ装置２２に送信する。ステップＳ１１４において、サーバ装置２２は、ページ登録画面のＷｅｂデータをクライアント装置２０＃ｉに送信する。ステップＳ９４において、クライアント装置２０＃ｉはページ情報登録画面を表示する。
【００３４】
図１４はページ登録、内容参照画面を示す図である。図１４に示すように、ページ登録、内容参照画面は、「前へ」、「次へ」、「ページタイトル」、「本文」、「添付ファイル名」、「変える」、「ペジを消す」及び「やめる」の各項目から構成される。提示者はページタイトル、本文や添付ファイル名を入力する。図１２中のステップＳ９６において、クライアント装置２０＃ｉはページ名及びページ情報をサーバ装置２２に送信する。ステップＳ１１６において、サーバ装置２２はノート管理情報ＤＢ７６にページ名及びページ情報を登録する。ステップＳ１１８において、サーバ装置２２はノート一覧データを検索する。ステップＳ１２０において、サーバ装置２２はノート一覧画面のＷｅｂデータを送信する。ステップＳ９８において、クライアント装置２０＃ｉはノート一覧画面を表示する。尚、図中の「次へ」が選択されると、次ページの情報を入力する画面が表示される。
【００３５】
（ｄ）　ノート借用依頼、貸出し
図１５はノート借用、貸出しのシーケンスチャートである。図１６は被提示者からのノート借用依頼時の動作を示すフローチャートである。図１７は提示者のノート貸出し処理を示すフローチャートである。被提示者について、図１５中の（２０）に示すように、上述したログイン時の認証が行われる。図１６中のステップＳ１５０において、サーバ装置２２は、認証がＯＫになると、ノート一覧データの検索処理を行う。ステップＳ１５２において、サーバ装置２２は、ノート一覧画面のＷｅｂデータをクライアント装置２０＃１に送信する。
【００３６】
ステップＳ１７０において、クライアント装置２０＃１は（２６）に示すようにノート一覧画面を表示する。被提示者は「ノートを借りる」をクリックする。ステップＳ１７２において、クライアント装置２０＃１は、ノート借用依頼画面の選択をサーバ装置２２に送信する。ステップＳ１５４において、サーバ装置２２は、ノート借用依頼画面のＷｅｂデータをクライアント装置２０＃１に送信する。ステップＳ１７４において、クライアント装置２０＃１は、ノート借用依頼画面を表示する。
【００３７】
図１８はノート借用依頼画面を示す図である。図１８に示すように、ノート借用依頼画面は、「ノートを借りる」は、「ノートを借りたい人」、「メッセージ」、「送る」及び「やめる」の項目から構成される。被提示者は、「ノートを借りたい人」を選択して、「メッセージ」を入力する。ステップＳ１７６において、クライアント装置２０＃１は、（２８）に示すようにノート借用者及び内容を含むノート借用依頼をサーバ２２に送信する。
【００３８】
ステップＳ１５６において、サーバ装置２２はノート借用者のノート借用依頼管理情報ＤＢ７８に借用依頼であること及び内容を記録する。ステップＳ１５８において、ノート一覧データ検索を行う。ステップＳ１６０において、ノート一覧画面のＷｅｂデータを送信する。ステップＳ１７６において、クライアント装置２０＃１はノート一覧画面を表示する。
【００３９】
その後、被提示者が借用したいノートの提示者のクライアント装置２０＃２がログインをしたものとする。図１５中の（４０）に示すように　提示者について上述した認証が行われる。図１７中のステップＳ２００において、サーバ装置２２は、認証がＯＫになると、ノート一覧データの検索処理を行う。ステップＳ２０２において、ノート一覧画面のＷｅｂデータをクライアント装置２０＃２に送信する。ステップＳ２２０において、クライアント装置２０＃２はノート一覧画面を表示する。ここでは、当該提示者のノートを借りたい被提示者がいることから、「ノートいちらん」の画面にはノートの借用依頼があることが表示される。提示者は図９中の「ノートを借りたい人」をクリックする。ステップＳ２２２において、クライアント装置２０＃２は、「ノートを借りたい人」のアイコンが選択されて、サーバ装置２２に送信する。ステップＳ２０４において、サーバ装置２２は、（４４）に示すように、ノート貸出し承諾画面のＷｅｂデータをクライアント装置２０＃２に送信してノート借用依頼をする。ステップＳ２２４において、クライアント装置２０＃２はノート貸出し承諾画面を表示する。
【００４０】
図１９はノート貸出し承諾画面を示す図である。図１９に示すように、「ノートを借りたい人」には、ノートを借りたい人の「名前」とどのノートを貸して欲しいかを示す「内容」、「かす」、「かさない」及び「もどる」の項目からなる。提示者はノートの貸出し承諾する場合は、「かす」をクリックし、承諾を拒否する場合は、「かさない」をクリックする。
【００４１】
ステップＳ２２６において、クライアント装置２０＃２は、ノートの貸出し承諾を選択されたか否かを判断する。貸出しを承諾する場合は、承諾をサーバ装置２２に送信して、ステップＳ２０６に進む。貸出しを拒否する場合は、拒否をサーバ装置２２に送信して、ステップＳ２０８に進む。ステップＳ２０６において、サーバ装置２２は、ノート貸出し画面のＷｅｂデータを送信する。ステップＳ２０８において、借用依頼をノート借用依頼管理情報ＤＢ７８から削除する。ステップＳ２２８において、クライアント装置２０＃２は、ノート貸出し画面を表示する。
【００４２】
図２０はノート貸出し画面を示す図である。図２０に示すように、「ノートをかす」の画面は、「かし出すノート」、「かし出す相手」、「かし出す期間」、「かす」及び「やめる」の項目からなる。「かし出すノート」は、貸し出すノート名を指定するものである。「かし出す相手」は、ノートの貸出しを承諾する相手の名前が指定される。全員に貸し出す場合は、「全員」を指定する。「かし出す期間」はノートを貸し出す期間を指定する。提示者は「かし出すノート」、「かし出す相手」、「かし出す期間」を指定してから、「かす」をクリックする。
【００４３】
ステップＳ２３０において、クライアント装置２０＃２は、（４６）に示すように、「かし出すノート名」、「かし出す相手」及び「かし出す期間」を含むノート借用許可を送信する。ステップＳ２１０において、サーバ装置２２は、指定されたノート管理情報ＤＢ７６に貸出し者及び期間を格納し、ノート借用依頼管理情報ＤＢ７８から貸出しが許可されたノート借用依頼を削除する。ステップＳ２１２において、サーバ装置２２は、ノート一覧データを検索する。ステップＳ２１４において、サーバ装置２２は、ノート一覧画面のＷｅｂデータ送信する。ステップＳ２３２において、クライアント装置２２＃２はノート一覧画面を表示する。
【００４４】
（３４）に示すように、ノート借用を承諾された被提示者は「ノートいちらん」をクリックし、又はログインすることににより、クライアント装置２０＃１は、ノート参照をする。サーバ装置２２は、（３６）に示すように、ノート管理情報ＤＢ７６、ノート借用依頼管理情報ＤＢ７８を参照してノート一覧データ検索し、ノート一覧画面を送信してノート情報を表示する。クライアント装置２０＃１は、ノート一覧画面を表示する。このとき、図９中の「ノートいちらん」中に他の人から借用しているノートが貸出し期間と共に一覧で表示されて、被提示者がここをクリックすることにより、ノートの内容が参照可能となる。
【００４５】
（ｅ）　ノート借用取消
図２１はノート借用取消を示すシーケンスチャートである。提示者はノート借用を取り消す場合は、（１００）に示すように、クライアント装置２０＃２はログインする。（１０２）に示すように、サーバ装置２０はノート一覧画面を送信する。提示者は図９中の「かしているノート」をクリックする。クライアント装置２０＃２は、かしているノートの一覧要求を送信する。サーバ装置２２は、ノート貸出し一覧画面をクライアント２０＃２に送信する。クライアント２０＃２はノート貸出し一覧画面を表示する。
【００４６】
図２２はノート貸出し一覧画面を示す図である。図２２に示すように、「かしているノート」は、提示者が貸し出しているノート名、並びに貸し出している相手名及び「消す」の一覧が表示される。提示者はノート借用取消をする場合は、貸し出している相手名に該当する「消す」をクリックする。クライアント装置２０＃２は、（１０４）に示すようにノート借用取消をサーバ装置２２に送信する。サーバ装置２２は、ノート借用取消に係わるノート名及び借用者に該当する情報をノート管理情報ＤＢ７６から削除する。
【００４７】
（１１０）に示すように、ノート借用取消がされた被提示者のクライアント装置２０＃１はログインする。（１１２）に示すように、サーバ装置２０は、ノート一覧画面を送信する。クライアント装置２０＃２はノート一覧を表示する。ノート借用取消がされたノートについては、図９中の「ノートいちらん」には表示されない。（１１４）に示すように、被提示者がノート参照しようとしても、（１１６）に示すようにノート情報が表示されることがない。
【００４８】
（ｆ）　ノート検索
図２３は被提示者からのノート借用依頼を示すフローチャートである。ステップＳ３５０において、サーバ装置２２は、ノート一覧データ検索処理をする。ステップＳ３５２において、ノート一覧画面のＷｅｂデータをクライアント２０＃１に送信する。ステップＳ３００において、クライアント装置２０＃１は、ノート一覧画面を表示する。被提示者は、「ノートを検索」をクリックする。クライアント装置２０＃１はノート検索画面選択をサーバ装置２２に送信する。ステップＳ３５４において、サーバ装置２２は、ノート検索画面のＷｅｂデータをクライアント２０＃１に送信する。ステップＳ３０２において、クライアント装置２０＃１はノート検索画面を表示する。
【００４９】
図２４はノート検索画面を示す図である。図２４に示すように、ノート検索画面は、「検索キーワード」、「ノート検索」、「検索結果」から構成される。「検索キーワード」はノートを借用したいノートの内容を示すキーワードである。「ノート検索」は検索キーワードを含む内容のノートの検索指定である。「検索結果」はノートの検索結果を表示するものであり、「名前」、「ノート名」及び「ノート借用」から構成される。「名前」は、キーワードに該当するノートの提示者の名前である。「ノート名」は、キーワードに該当するノート名である。「ノート借用」はノート借用を指定するものである。
【００５０】
被提示者は、検索キーワードを入力して、「ノート借用」をクリックする。ステップＳ３０６において、クライアント装置２０＃１は、検索キーワードを送信する。ステップＳ３５６において、サーバ装置２２は、指定された検索キーワードでノート情報格納ＤＢ７４内の被提示者と同じグループ内メンバーの全ての内容を文字列検索する。一致するものが有れぱ、そのノート保持者名、ノート名のみを取り出す。ステップＳ３５８において、サーバ装置２２は、検索結果表示画面のＷｅｂデータをクライアント装置２０＃ｉに送信する。ステップＳ３０８において、クライアント装置２０＃ｉは、図２４に示す検索結果表示画面を表示する。
【００５１】
被提示者は検索結果から該当ユーザ名及びノート名に該当するノート借用をクリックする。クライアント装置２０＃１は、ユーザ名及びノート名をサーバ装置２２に送信する。ステップＳ３６０において、サーバ装置２２は、ノート貸出し画面に名前及びノート名を埋め込んだＷｅｂデータをクライアント装置２０＃１に送信する。ステップＳ３１２において、クライアント装置２０＃１は、図２０にノート貸出し画面を表示する。被提示者はノート借用依頼画面に「メッセージ」を入力する。ステップＳ３１４において、ノート借用者及び内容をサーバ装置２２に送信する。
【００５２】
ステップＳ３６２において、ノート借用者のノート借用依頼管理情報ＤＢ７８にノート名及び内容を記録する。ステップＳ３６４において、サーバ装置２２はノート一覧データ検索処理をする。ステップＳ３６６において、サーバ装置２２はノート一覧画面のＷｅｂデータをクライアント２０＃１に送信する。ステップＳ３１６において、クライアント装置２０＃１は、ノート一覧画面を表示する。
【００５３】
本発明は以下の付記を含むものである。
【００５４】
（付記１）　クライアント装置とサーバ装置がネットワークを介して接続された特定者向け情報公開サービスシステムにおいて、
前記サーバ装置は、
情報公開を行う対象となるクライアントに関する情報を格納するユーザ情報データベースと、
情報及び当該情報の所有者を格納する公開情報格納データベースと、
情報公開を希望するクライアント、情報公開を希望されるクライアント及びどんな情報を希望するかを示すメッセージを格納する公開依頼管理情報データベースと、
情報公開の被承諾者、情報公開の承諾者及び公開対象の情報を特定する情報を格納する公開管理情報データベースと、
情報公開を希望する前記ユーザ情報テータベースに格納されたクライアントのクライアント装置から情報公開を希望するクライアント及びどんな情報を希望するかを示すメッセージを受け取ると、前記公開依頼管理情報データベースに格納する公開依頼処理部と、
前記公開依頼管理情報データベースに格納されている情報の公開を希望されている前記公開情報格納データベースに格納された情報所有者のクライアント装置に情報公開を希望するクライアントがいることを通知し、情報公開を希望されるクライアント装置から情報公開の承諾を受けると、前記公開管理情報データベースに情報公開の被承諾者、情報公開の承諾者及び公開対象の情報を特定する情報を格納し、被承諾者のクライアント装置に情報公開が承諾されたことを通知する情報公開処理部と、
を具備したことを特徴とする特定者向け情報公開サービスシステム。
【００５５】
（付記２）　前記サーバ装置は、前記情報を所有するクライアントのクライアント装置よりに対して認証要求を行い、前記ユーザ管理データベースに格納されたクライアントのみが情報公開されるよう制御するユーザ認証処理部を更に具備したことを特徴とする付記１記載の特定者向け情報公開サービスシステム。
【００５６】
（付記３）　前記サーバ装置は、情報を所有するクライアントのクライアント装置より情報を受け取ると、前記公開情報格納データベースに格納する情報登録処理部を具備したことを特徴とする付記１記載の特定者向け情報公開サービスシステム。
【００５７】
（付記４）　前記情報公開処理部は、公開を承諾している情報所有者のクライアント装置から情報公開の承諾の取り消しを受けると、前記公開管理情報データベースから該当する情報を削除することを特徴とする付記１記載の特定者向け情報公開サービスシステム。
【００５８】
（付記５）　前記情報公開処理部は、前記クライアントがどんな情報の公開を希望するかを示すメッセージをクライアント装置から受け取ると、前記公開情報格納データベースを検索して、前記メッセージに該当する情報を所有するクライアントについて前記クライアント装置に通知することを特徴とする付記１記載の特定者向け情報公開サービスシステム。
【００５９】
（付記６）　前記サーバ装置は、情報一覧、情報登録、情報公開希望及び公開中情報の指定ができるメニュー画面をクライアント装置に送信し、当該クライアント装置が前記情報一覧を指定すると、前記公開情報格納データベースに格納されている当該クライアント装置のクライアントが所有する情報の一覧、当該クライアントに対して公開が承諾されている情報の一覧及び情報公開の希望するクライアントがいることを当該クライアント装置に通知することを特徴とする付記１記載の特定者向け情報公開サービスシステム。
【００６０】
【発明の効果】
以上説明した本発明によれば、情報公開を目的として情報登録しなくて済むため、検索キーの埋め込みを行う必要がなくなり、情報登録の工数が削減できる。また、情報参照者が欲しい情報を参照できるようになるまでの時間が短縮できる。
【図面の簡単な説明】
【図１】本発明の原理図である。
【図２】本発明の実施形態による特定者向け情報公開サービスシステムの構成図である。
【図３】図２中のサーバ装置内の制御部の構成図である。
【図４】図２中のユーザ情報ＤＢの構成図である。
【図５】図２中のノート情報ＤＢの構成図である。
【図６】図２中のノート管理情報ＤＢの構成図である。
【図７】図２中のノート借用依頼管理情報ＤＢの構成図である。
【図８】ログイン時の動作フローチャートである。
【図９】ノート一覧画面を示す図である。
【図１０】ノート登録、ページ登録のシーケンスチャートである。
【図１１】提示者ノート登録時の動作フローチャートである。
【図１２】提示者ページ情報登録時の動作フローチャートである。
【図１３】ノート登録画面を示す図である。
【図１４】ページ登録、内容参照画面を示す図である。
【図１５】ノート借用依頼、貸出しのシーケンスチャートである。
【図１６】被提示者からのノート借用依頼のフローチャートである。
【図１７】提示者のノート貸出し処理のフローチャートである。
【図１８】ノート借用依頼画面を示す図である。
【図１９】ノート貸出し承諾画面を示す図である。
【図２０】ノート貸出し画面を示す図である。
【図２１】ノート借用取消のシーケンスチャートである。
【図２２】ノート貸出し一覧画面を示す図である。
【図２３】被提示者からのノート借用依頼のフローチャートである。
【図２４】ノート検索画面を示す図である。
【符号の説明】
２＃ｉ（ｉ＝１，２，…）　クライアント装置
４　サーバ装置
６　ネットワーク
８　ユーザ情報データベース
１０　公開情報データベース
１２　公開依頼管理情報データベース
１４　公開管理情報データベース
１６　公開依頼処理部
１８　情報公開処理部
【図１】
2004086787.tif 000003
【図２】
2004086787.tif 000004
【図３】
2004086787.tif 000005
【図４】
2004086787.tif 000006
【図５】
2004086787.tif 000007
【図６】
2004086787.tif 000008
【図７】
2004086787.tif 000009
【図８】
2004086787.tif 000010
【図９】
2004086787.tif 000011
【図１０】
2004086787.tif 000012
【図１１】
2004086787.tif 000013
【図１２】
2004086787.tif 000014
【図１３】
2004086787.tif 000015
【図１４】
2004086787.tif 000016
【図１５】
2004086787.tif 000017
【図１６】
2004086787.tif 000018
【図１７】
2004086787.tif 000019
【図１８】
2004086787.tif 000020
【図１９】
2004086787.tif 000021
【図２０】
2004086787.tif 000022
【図２１】
2004086787.tif 000023
【図２２】
2004086787.tif 000024
【図２３】
2004086787.tif 000025
【図２４】
2004086787.tif 000026